(57)【要約】  ディスプレイを介して入力コマンドを受信するように構成されるコンピューティングデバイスについて説明する。該コンピューティングデバイスは、プロセッサと、該プロセッサと電子的に通信するメモリとを含む。該デバイスは、ディスプレイも含む。該ディスプレイは、可撓性バックプレーンを含む。該デバイスは、さらに、タッチセンサを含む。該センサは、該可撓性バックプレーンの下に配置される。
2011518385.tif 000002
【特許請求の範囲】
【請求項１】
ディスプレイを介して入力コマンドを受信するように構成されるコンピューティングデバイスであって、前記コンピューティングデバイスは、
プロセッサと、
前記プロセッサと電子的に通信するメモリと、
ディスプレイであって、前記ディスプレイは可撓性バックプレーンを含む、ディスプレイと、
タッチセンサであって、前記センサは前記可撓性バックプレーンの下に配置される、タッチセンサと、
を含む、コンピューティングデバイス。
【請求項２】
前記タッチセンサは、抵抗タッチ感知フィルムを含む、請求項１に記載のコンピューティングデバイス。
【請求項３】
前記可撓性バックプレーンは、プラスチック材料から作製される、請求項１に記載のコンピューティングデバイス。
【請求項４】
前記ディスプレイは可撓性である、請求項１に記載のコンピューティングデバイス。
【請求項５】
前記コンピューティングデバイスは、電子ブックリーダデバイスである、請求項１に記載のコンピューティングデバイス。
【請求項６】
前記ディスプレイは反射型ディスプレイを含む、請求項１に記載のコンピューティングデバイス。
【請求項７】
前記可撓性バックプレーンは能動的バックプレーンである、請求項１に記載のコンピューティングデバイス。
【請求項８】
デバイス上のディスプレイを介して入力コマンドを受信するための方法であって、
前記ディスプレイへ電力を供給するステップであって、前記ディスプレイは可撓性バックプレーンを含む、ステップと、
前記ディスプレイを介して情報を表示するステップと、
タッチセンサを介して入力を受信するステップであって、前記タッチセンサは前記ディスプレイの下に配置される、ステップと、
前記入力をコマンドに変換するステップと、
を含む、方法。
【請求項９】
抵抗タッチ感知フィルムを介して入力を受信するステップをさらに含む、請求項８に記載の方法。
【請求項１０】
前記可撓性バックプレーンはプラスチック材料から作製される、請求項８に記載の方法。
【請求項１１】
前記ディスプレイは可撓性ディスプレイを含む、請求項８に記載の方法。
【請求項１２】
前記方法は電子ブックリーダによって実行される、請求項８に記載の方法。
【請求項１３】
前記可撓性バックプレーンは能動的バックプレーンである、請求項８に記載の方法。
【請求項１４】
請求項９に記載の方法を実行するための、コンピュータプログラム。
【請求項１５】
デバイス上のディスプレイを介して入力コマンドを受信するように構成されるコンピューティングデバイスであって、前記コンピューティングデバイスは、
前記ディスプレイへ電力を供給するための手段であって、前記ディスプレイは可撓性バックプレーンを含む、手段と、
前記ディスプレイを介して情報を表示するための手段と、
タッチセンサを介して入力を受信するための手段であって、前記タッチセンサは前記ディスプレイの下に配置される、手段と、
前記入力をコマンドに変換するための手段と、
を含む、コンピューティングデバイス。
【発明の詳細な説明】
【技術分野】
【０００１】
本開示は、概して、電子デバイスおよびコンピュータ関連の技術に関する。より具体的には、本開示は、タッチセンサを介して、可撓性バックプレーンを有するディスプレイによって、ユーザ入力を受信するためのシステムおよび方法に関する。
【背景技術】
【０００２】
パーソナルコンピュータの数の拡大と共に、情報の電子的な配信の重要性は増してきており、インターネットが広く利用可能になるにつれて、飛躍的な高まりをみせている。また、インターネットが広範囲で利用されていることから、電子技術を利用して、大容量のコヒーレントな情報ユニットを配信することが可能になった。
【０００３】
また、電子工学的技術およびコンピュータ関連技術の進歩により、コンピュータを、より小型かつより高性能の電子デバイスの形にすることが可能になった。電子デバイスは、情報の受信および処理に使用できる。電子デバイスは、情報へアクセスすることが容易であるだけでなく、コンパクトな情報の格納も実現する。例えば、ある電子デバイスは、インターネットによって、いつでも即座にダウンロードできる大量の情報を格納できる。さらに、電子デバイスは、デバイスの物理的損傷によって必ずしもデバイスに格納される情報の喪失を引き起こすことのないように、バックアップすることができる。
【０００４】
さらに、ユーザは、電子デバイスをインタラクティブに操作できる。例えば、ユーザは、電子デバイスによって表示される情報を読むことができる。さらに、ユーザは、電子デバイスに格納される特定の情報を表示するようにデバイスに命令できる。このため、電子デバイスをインタラクティブに操作するために改善されたシステムおよび方法から、利益が実現され得る。
【図面の簡単な説明】
【０００５】
【図１】コンピューティングデバイスの一構成を示す、ブロック図である。
【図２】タッチ感知フィルムの上部に配設された可撓性ディスプレイの一実施例を図示する、ブロック図である。
【図３】タッチ感知フィルムの上部に配設された可撓性ディスプレイの別の構成である。
【図４】コンピューティングデバイスの別の構成を示す、ブロック図である。
【図５】コンピューティングデバイスの側面断面図である。
【図６】可撓性ディスプレイの側面断面図である。
【図７】可撓性ディスプレイの下に配設されるタッチ感知フィルムを作動させるために、可撓性ディスプレイを利用するための方法の一実施例を示す。
【図８】コンピューティングデバイスで利用できる種々のコンポーネントを示す。
【図９】電子ブックリーダ／無線デバイスで利用できる種々のコンポーネントを示す。
【発明を実施するための形態】
【０００６】
ディスプレイを介して入力コマンドを受信するように構成されるコンピューティングデバイスについて説明する。コンピューティングデバイスは、プロセッサと、プロセッサと電子的に通信するメモリとを含む。デバイスは、ディスプレイも含む。ディスプレイは、可撓性バックプレーンを含む。デバイスは、さらに、タッチセンサを含む。センサは、可撓性バックプレーンの下に配置される。
【０００７】
一実施例では、タッチセンサは、抵抗タッチ感知フィルムを含む。可撓性バックプレーンは、プラスチック材料から作製され得る。一構成において、ディスプレイは可撓性である。コンピューティングデバイスは、電子ブックリーダデバイスであってもよい。
【０００８】
さらなる構成では、ディスプレイは、反射型ディスプレイを含む。可撓性バックプレーンは、能動的バックプレーンであってもよい。別の実施例では、コンピューティングデバイスは、さらなるディスプレイを含んでもよい。
【０００９】
さらに、デバイス上のディスプレイを介して入力コマンドを受信する方法を説明する。ディスプレイに電力が供給される。ディスプレイは、可撓性バックプレーンを含む。ディスプレイを介して、情報が表示される。タッチセンサを介して入力が受信される。タッチセンサは、ディスプレイの下に配置される。入力は、コマンドに変換される。
【００１０】
さらに、デバイス上のディスプレイを介して、入力コマンドを受信するように構成されるコンピューティングデバイスについて説明する。コンピューティングデバイスは、ディスプレイに電力を供給するための手段を含む。ディスプレイは、可撓性バックプレーンを含む。デバイスは、さらに、ディスプレイを介して情報を表示するための手段、およびタッチセンサを介して入力を受信するための手段を含む。タッチセンサは、ディスプレイの下に配置される。デバイスはさらに、入力をコマンドに変換するための手段を含む。
【００１１】
現行のデバイスは、ユーザが、ディスプレイを介して、デバイスと直接インターフェースを取ることができるようにするために、タッチパッドのセンサを有するディスプレイを実装し得る。タッチセンサは、ディスプレイ領域内のタッチの位置を検出し得る。いくつかの異なる種類の技術が、タッチセンサに実装されてきた。一実施例として、抵抗タッチセンサを有するディスプレイを含む。抵抗タッチセンサを有するディスプレイは、いくつかの層を含んでもよい。こうした層のうちの２つは、薄いスペースを挟んで離間された、薄い金属性の導電層および抵抗層であってもよい。ディスプレイを介してタッチセンサにタッチすると、こうした２つの層は、特定のポイントで接続する。センサは、接続された出力を有する２つの分圧器と同様に働いてもよい。これは、タッチイベントとして登録され、処理のためにコントローラに送信される、電流内の変化を生じさせてもよい。タッチセンサの他の種類の技術には、弾性表面波技術、感圧技術等が含まれ得る。
【００１２】
電子コンピューティングデバイスの製造元は、タッチセンサを有するディスプレイを使用する、デバイスのタッチインターフェースを提供してもよい。コンピューティングデバイスは、ディスプレイ上に表示される情報を照射するためのバックライト機能を使用してもよい。バックライト機能は、ディスプレイの後ろに配置される光源を含んでもよい。バックライト機能を有するデバイスは、ディスプレイ上部に、抵抗タッチスクリーン技術を利用するタッチ感知フィルムを設置してもよい。
【００１３】
しかし、いくつかのコンピューティングデバイスは、ディスプレイ上の画像および文字を照射するためのバックライト機能を使用しない、反射型ディスプレイを含んでもよい。代わりに、画像および文字は、周辺光、デバイス外部の光源、前面ライト、側面ライト等によって照射される。反射型ディスプレイ上部に設置されるタッチ感知フィルムは、ディスプレイ上に示される画像の光学的特性を低下させてもよい。光学的特性の例には、コントラスト、色、シャープネス、カラーシフト等を含んでもよい。このため、ディスプレイの後ろにタッチ感知フィルムを設置することによって、利益が実現され得る。さらに、可撓性バックプレーンを含む可撓性ディスプレイを使用することによって、利益が実現され得る。
【００１４】
いくつかの種類のディスプレイ材料が、可撓性バックプレーンをサポートしてもよい。例えば、（画像の次の更新まで）表示画像が歪まないようにする密閉材料、化学的性質または構造が、可撓性バックプレーンをサポートしてもよい。密閉電気泳動着色された、コレステリック化学および有機発光ダイオード（ＯＬＥＤ）のディスプレイ技術が、可撓性バックプレーンをサポートできるディスプレイ材料の例である。
【００１５】
図１は、コンピューティングデバイス１１４の一構成を示すブロック図である。コンピューティングデバイス１１４は、コンピュータ、ラップトップ、パーソナルデジタルアシスタント（ＰＤＡ）、電子ブック（ｅＢｏｏｋ）リーダ等であってもよい。
【００１６】
コンピューティングデバイス１１４は、ディスプレイ１１０を含んでもよい。ディスプレイ１１０は、コンピューティングデバイス１１４のユーザに対し、画像および／または文字を表示してもよい。ディスプレイ１１０は、可撓性バックプレーンを含んでもよい。バックプレーンは、可撓性材料から作製され得る。例えば、可撓性バックプレーンは、プラスチック、金属（ステンレススチール等）、ガラス等から作製され得る。さらなる構成において、ユーザは、ディスプレイ１１０上の画像および／または特性を表示するために、周辺光（またはコンピューティングデバイス１１４の外部の他の光源、前面ライト、側面ライト等）を使用してもよい。
【００１７】
一実施例において、ディスプレイ１１０は、タッチ感知領域１２０を含む。タッチ感知領域１２０は、ディスプレイ１１０の全てまたは一部を被覆してもよい。ユーザは、タッチ感知領域１２０内のディスプレイ１１０の領域をタッチすることにより、コンピューティングデバイス１１４へ、入力コマンドを提供してもよい。例えば、ユーザは、デバイス１１４へ入力コマンドを提供するために、指、入力ペン等で、ディスプレイ１１０を加圧してもよい。
【００１８】
図２は、タッチセンサ（単数または複数）２３４上部に配置される、可撓性ディスプレイ２１０の一実施例を示すブロック図である。タッチセンサ（単数または複数）２３４は、抵抗タッチ感知フィルムであってもよい。ユーザは、可撓性ディスプレイ２１０上の領域をタッチすることで、コンピューティングデバイス１１４に入力コマンドを提供してもよい。可撓性ディスプレイ２１０をタッチする間、ユーザによって加えられた圧力は、ディスプレイ２１０を屈曲させ、タッチセンサ（単数または複数）２３４上の領域と接触させてもよい。タッチセンサ（単数または複数）２３４は、可撓性ディスプレイ２１０と接している領域を検出するセンサを含んでもよい。一実施例において、センサは、ほぼユーザの指の厚みである、５〜１０ミリメートル（ｍｍ）の分解能を有し得る。フィルム２３４は、ユーザによって提供される特定の入力コマンドとして、タッチを解釈し得る。
【００１９】
図３は、タッチ感知フィルム３３４の上部に配設される可撓性ディスプレイ３１０の別の構成である。可撓性ディスプレイ３１０は、１つ以上の層を含んでもよい。例えば、ディスプレイ３１０は、ディスプレイ３１０にさらなる保護を提供するために使用され得る保護層３０２を含んでもよい。保護層３０２は、ディスプレイ３１０に、破損、亀裂、擦傷等が生じないように役立つものであってもよい。保護層３０２は、プラスチック等の可撓性材料から作製され得る。
【００２０】
可撓性ディスプレイ３１０は、さらに、材料層３０４を含んでもよい。材料層３０４は、前面平面積層（ＦＰＬ）から作製され得る。材料層３０４は、可撓性ディスプレイ３１０（例えば、プラスチック、ガラス等）で構成される材料構成を含んでもよい。さらに、可撓性ディスプレイ３１０は、可撓性バックプレーン層３０６も含んでもよい。バックプレーン３０６は、能動的バックプレーンまたは受動的バックプレーンであってもよい。能動的バックプレーンは、より迅速な応答時間を提供し、低い電圧を使用してもよい。一実施例では、能動的バックプレーンは、動画アプリケーションに使用してもよい。受動的バックプレーンは、能動的バックプレーンよりも遅い応答時間を有してもよい。さらに、受動的バックプレーンは、より高い電圧を使用してもよい。一構成では、受動的バックプレーンを情報の表示に使用してもよい。
【００２１】
バックプレーン層３０６は、可撓性ディスプレイ３１０上の画像および／または文字を表示するために使用される画素を活性化させるために使用できるコンダクタ（図示せず）の縦列および横列を含んでもよい。バックプレーン３０６は、プラスチック、金属、ガラスまたはポリマーベースの材料等の、可撓性材料から作製され得る。可撓性バックプレーン３０６は、屈曲可能、回転可能、軽量等にしてもよい。一構成では、可撓性バックプレーン３０６は、プラスチック基板上のマトリックスバックプレーンである。
【００２２】
図示するように、タッチ感知フィルム３３４は、可撓性ディスプレイ３１０の下（または後ろ）に配設されてもよい。ユーザが可撓性ディスプレイ３１０を押すと、これは、屈曲し、タッチ感知フィルム３３４に接触し得る。この接触により、フィルム３３４が作動し得、フィルム３３４は、コンピューティングデバイス１１４のためにユーザによって提供される入力コマンドを解釈し得る。
【００２３】
図４は、コンピューティングデバイス４１４の別の構成を示すブロック図である。デバイス４１４はディスプレイ４１０を含んでもよく、ディスプレイ４１０はタッチ感知領域４２０を含んでもよい。タッチ感知フィルム（図示せず）は、タッチ感知領域４２０の下（または後ろ）に配設または配置されてもよい。前述のように、タッチ感知領域４２０は、ディスプレイ４１０の全てまたは一部を被覆してもよい。一構成では、デバイス４１４は、さらなるディスプレイ４０６を含んでもよい。さらなるディスプレイ４０６は、ディスプレイ４１０に加えて、ユーザへのさらなるインターフェースを含んでもよい。さらなるディスプレイ４０６は、ボタン、スイッチ等を含んでもよい。デバイス４１４のユーザは、コンピューティングデバイス４１４に１つ以上のコマンドを提供するために、さらなるディスプレイ４０６とインターフェースを取ってもよい。
【００２４】
図５は、コンピューティングデバイス５１４の側面断面図である。一構成では、コンピューティングデバイス５１４は、電子ブックリーダである。タッチ感知フィルム５３４は、ディスプレイ５１０およびさらなるディスプレイ５０６の後ろに直接配設されてもよい。上記のように、ディスプレイ５１０は、加圧された場合に５１０が屈曲できるように、可撓性ディスプレイであってもよい。ディスプレイ５１０は、加圧点で屈曲し、タッチ感知フィルム５３４と接触してもよい。フィルム５３４は、コンピューティングデバイス５１４の入力コマンドとして、接触を解釈してもよい。ディスプレイ５１０の後ろにタッチ感知フィルム５３４を配置することで、１つ以上の機能または結果を提供してもよい。提供できるいくつかの機能には、光学的特性の低下（例えば、コントラスト、シャープネス、色）、反射型ディスプレイにおけるタッチ技術の提供等を含む。
【００２５】
図６は、可撓性ディスプレイ６１０の側面断面図である。タッチセンサ（単数または複数）６３４は、ディスプレイ６１０の下に配置されてもよい。ポインティング装置６３２または指を、ディスプレイ６１０上の特定の領域を加圧するために使用してもよい。ディスプレイは可撓性であるため、ポインティング装置６３２または指で、ディスプレイ６１０を押す場合には、陥没６３０が生じることがある。ポインティング装置６３２には、指、入力ペン等を含んでもよい。陥没６３０は、ディスプレイ６１０およびタッチセンサ（単数または複数）６３４の間の接触を提供し得る。接触により、センサ（単数または複数）６３４を作動させてもよく、タッチセンサ（単数または複数）６３４は、接触に関連付けられる入力コマンドを解釈し得る。
【００２６】
図７は、可撓性ディスプレイを使用してタッチ感知フィルムを作動させるための方法７００の一構成を示す流れ図である。可撓性ディスプレイは、タッチ感知フィルム上部に配設されてもよい。一構成では、コンピューティングデバイス１１４は、７０２において電力供給されてもよい。コンピューティングデバイス１１４は、電子ブックリーダ、ＰＤＡ、移動局（携帯電話等）等であってもよい。コンピューティングデバイス１１４は、可撓性ディスプレイ１１０および可撓性ディスプレイ１１０の下に配設されるタッチ感知フィルム３３４を含んでもよい。
【００２７】
一構成において、可撓性ディスプレイ１１０によって情報を表示してもよい（７０４）。情報は、画像および文字を含んでもよい。一実施例では、画像および文字は、本、雑誌記事等のテキストを含んでもよい。さらに、画像および文字は、本、雑誌、定期刊行物、新聞等のリストを含んでもよい。
【００２８】
一実施例では、入力は、可撓性ディスプレイ１１０に連結されるタッチ感知フィルム３３４を介して、ユーザから受信されてもよい（７０６）。例えば、ユーザは、可撓性ディスプレイ１１０の特定の領域を押すために、指を使ってもよい。特定の領域は、入力を提供するために、屈曲し、タッチ感知フィルム３３４と接触してもよい。入力は、コマンドに変換されてもよい（７０８）。一構成では、タッチ感知フィルム３３４は、入力を、コンピューティングデバイスのコマンドに変換する。
【００２９】
図８は、コンピューティングデバイス８０１で利用してもよい種々のコンポーネントを示す。１つ以上のコンピューティングデバイス８０１を、本明細書中に開示される種々のシステムおよび方法を実施するために使用してもよい。図示されたコンポーネントは、同じ物理的構造内または別々のハウジングまたは構造に位置付けられてもよい。このため、特に明記しない限り、コンピューティングデバイス８０１という用語は、１つ以上の広義のコンピューティングデバイスを意味するために用いられる。コンピューティングデバイスは、マイクロコントローラ、ハンドヘルドコンピュータ、パーソナルコンピュータ、サーバ、メインフレーム、スーパーコンピュータ、ミニコンピュータ、ワークステーション、および任意の変形物またはその関連するデバイスを含む、広範囲のデジタルコンピュータを含む。
【００３０】
コンピューティングデバイス８０１が、プロセッサ８０３およびメモリ８０５と共に示される。プロセッサ８０３は、コンピューティングデバイス８０１の動作を制御してもよく、マイクロプロセッサ、マイクロコントローラ、デジタル信号プロセッサ（ＤＳＰ）または他の公知のデバイスとして実現され得る。プロセッサ８０３は、典型的には、メモリ８０５内に格納されるプログラム命令に基づいて、論理演算および算術演算を実行する。メモリ８０５内の命令は、本明細書中に記載される方法を実施するように実行可能であり得る。
【００３１】
コンピューティングデバイス８０１はさらに、他の電子デバイスとの通信のために、１つ以上の通信インターフェース８０７および／またはネットワークインターフェース８１３を含んでもよい。通信インターフェース（単数または複数）８０７およびネットワークインターフェース（単数または複数）８１３は、有線通信技術、無線通信技術、またはその両方に基づくものであってもよい。
【００３２】
コンピューティングデバイス８０１は、さらに、１つ以上の入力デバイス８０９および１つ以上の出力デバイス８１１を含んでもよい。入力デバイス８０９および出力デバイス８１１は、ユーザ入力を促進してもよい。さらに、コンピューティングデバイス８０１は、タッチセンサ（単数または複数）８１７およびディスプレイ８１９を含んでもよい。ディスプレイ８１９は、可撓性ディスプレイであってもよい。タッチセンサ（単数または複数）８１７は、作動時に入力コマンドを検出してもよい。センサ（単数または複数）８１７は、タッチによって作動されてもよい。他のコンポーネント８１５を、コンピューティングデバイス８０１の一部として提供してもよい。
【００３３】
図８は、コンピューティングデバイス８０１の唯一の可能な構成を示す。また、種々の他のアーキテクチャおよびコンポーネントを利用してもよい。
【００３４】
図９は、電子ブックリーダ／無線デバイス９０２で利用され得る、種々のコンポーネントを示す。電子ブック（「ｅＢｏｏｋｓ」）は、電子著作物である。「電子ブック」および「電子著作物」という用語は、同義的に使用され得、本明細書中で使用されるとおり、デジタル形式で格納および配信が可能な任意の種類のコンテンツを含み得る。例えば、電子著作物および電子ブックとしては、無制限に、本、雑誌、新聞、ニュースレター、定期刊行物、ジャーナル、参考資料、電話帳、テキスト本、アンソロジー、会議の議事録、フォーム、要覧、地図、マニュアル、ガイド、参考図書、写真、記事、レポート、文書等のあらゆる文字による情報形態、および、音楽、マルチメディアプレゼンテーション、オーディオブック、映画等のあらゆる形態の音声および視聴覚著作物を挙げることができる。
【００３５】
デバイス９０２は、コンピューティングデバイス１１４等の、本明細書に記載される種々の方法を実施する、および／または、これと共に使用されるように構成されてもよい、デバイスの一例である。デバイス９０２の例としては、携帯電話、ラップトップコンピュータ、パーソナルデジタルアシスタント（ＰＤＡ）、タブレットコンピュータおよび電子ブックリーダデバイスが挙げられるが、これらに制限されない。
【００３６】
無線デバイス９０２は、無線デバイス９０２の動作を制御するプロセッサ９０４を含んでもよい。プロセッサ９０４は、中央処理装置（ＣＰＵ）と称されてもよい。読み込み専用メモリ（ＲＯＭ）およびランダムアクセスメモリ（ＲＡＭ）の両方を含んでもよいメモリ９０６は、命令およびデータをプロセッサ９０４に提供する。メモリ９０６の一部は、不揮発性ランダムアクセスメモリ（ＮＶＲＡＭ）も含んでもよい。プロセッサ９０４は、典型的には、メモリ９０６内に格納されるプログラム命令に基づき、論理演算および算術演算を実行する。メモリ９０６内の命令は、本明細書に記載される方法を実行するために実行可能であり得る。
【００３７】
無線デバイス９０２は、無線デバイス９０２およびリモート位置の間のデータの送受信を可能にするために、トランスミッタ９１０およびレシーバ９１２を含んでもよいハウジング９０８も含んでもよい。トランスミッタ９１０およびレシーバ９１２は、トランシーバ９１４に組み込んでもよい。アンテナ９１６は、ハウジング９０８に取り付けられ、トランシーバ９１４と電気的に連結されてもよい。無線デバイス９０２は、（図示しない）複数のトランスミッタ、複数のレシーバ、複数のトランシーバおよび／または複数のアンテナを含んでもよい。
【００３８】
無線デバイス９０２は、トランシーバ９１４によって受信された信号のレベルを検出および定量化するために使用され得る信号検出器９１８も含んでもよい。信号検出器９１８は、擬似雑音（ＰＮ）チップ、電力スペクトル密度、および他の信号毎の全エネルギー、パイロットエネルギーとして、こうした信号を検出してもよい。無線デバイス９０２は、さらに、信号処理に使用されるデジタル信号プロセッサ（ＤＳＰ）９２０を含んでもよい。
【００３９】
無線デバイス９０２は、さらに、１つ以上の通信ポート９２８を含んでもよい。こうした通信ポート９２８によって、直接有線接続が、デバイス９０２と共に容易に作成できるようにしてもよい。
【００４０】
さらに、入力／出力コンポーネント９２６を、デバイス９０２への、およびここからの種々の入力および出力のために、デバイス９０２と共に含めてもよい。異なる種類の入力コンポーネントの例としては、キーボード、キーパッド、マウス、マイクロフォン、リモートコントロールデバイス、ボタン、ジョイスティック、トラックボール、タッチパッド、ライトペン等が挙げられる。異なる種類の出力コンポーネントの例には、スピーカ、プリンタ等が挙げられる。ある特定の種類の出力コンポーネントは、ディスプレイ９２４である。ディスプレイ９２４は、本明細書で記載される可撓性ディスプレイであってもよい。さらに、デバイス９０２は、タッチセンサ（単数または複数）９３４を含んでもよい。タッチセンサ（単数または複数）９３４は、作動時に入力コマンドを検出してもよい。センサ（単数または複数）９３４は、タッチによって作動してもよい。
【００４１】
無線デバイス９０２の種々のコンポーネントは、データバスの他に、電力バス、制御信号バス、および状態信号バスを含んでもよいバスシステム９２２によって、共に連結されてもよい。しかし、便宜上、種々のバスを、バスシステム９２２として、図９に示す。
【００４２】
本明細書中に使用されているように、「決定」と言う用語は幅広い行為を包含し、従って、「決定」には、計算、コンピューティング、処理、導出、調査、検索（例えば、テーブル、データベースまたは別のデータ構造の検索）、確認等を含む可能性がある。さらに、「決定」には、受信（例えば、情報の受信）、アクセス（例えば、メモリ内のデータのアクセス）等を含む可能性がある。さらに、「決定」には、解決、選択、選出、確立等を含む可能性がある。
【００４３】
「に基づく」という句は、特に明示する場合を除き、「のみに基づく」ことを意味するのではない。換言すると、「に基づく」という句は、「のみに基づく」および「少なくとも〜に基づく」の両方を表す。
【００４４】
本明細書中に記載される種々の例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、または他のプログラム可能な論理デバイス、離散ゲートまたはトランジスタ論理、離散ハードウェアコンポーネント、あるいは本明細書中に記載される機能を実行するために設計された任意のその組み合わせと共に実施、または実行されてもよい。汎用プロセッサは、マイクロプロセッサであってもよいが、あるいは、プロセッサは、任意の従来のプロセッサ、コントローラ、マイクロコントローラまたはステートマシンであってもよい。プロセッサは、さらに、コンピューティングデバイスの組み合わせ、例えば、ＤＳＰおよびマイクロプロセッサ、複数のマイクロプロセッサ、ＤＳＰコアまたは任意の他のこうした構成と連動する１つ以上のマイクロプロセッサの組み合わせとして、実施されてもよい。
【００４５】
本明細書中に記載される方法またはアルゴリズムのステップは、ハードウェア、プロセッサによって実行されるソフトウェアモジュール、またはその両者の組み合わせで、直接実現されてもよい。ソフトウェアモジュールは、当該技術分野において公知の任意の形態の格納媒体に常駐してもよい。使用され得る格納媒体のいくつかの例には、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ等を含む。ソフトウェアモジュールには単一の命令、または多数の命令を含んでもよく、異なるプログラムの中で、および複数の格納媒体において、いくつかの異なるコードセグメントに配分されてもよい。例示的な格納媒体は、プロセッサが、情報形式を読み込み、情報を格納媒体に書き込むことができるように、プロセッサに連結されてもよい。あるいは、格納媒体はプロセッサに統合されてもよい。
【００４６】
本明細書で開示される方法には、記載された方法を実現するための１つ以上のステップまたは行為を含む。方法のステップおよび／または行為は、請求項の範囲から逸脱しない限り、互いに入れ替えてもよい。換言すると、記載されている方法の適切な動作のために、ステップまたは行為の特定の順序が必要であるのでない限り、特定のステップおよび／または行為の順序および／または使用を、請求項の範囲から逸脱しない限り、修正してもよい。
【００４７】
記載される機能は、ハードウェア、ソフトウェア、ファームウェア、または任意のその組み合わせで実装されてもよい。ソフトウェアで実装する場合、機能は、コンピュータで読み込み可能な媒体において、１つ以上の命令として格納されてもよい。コンピュータで読み込み可能な媒体は、コンピュータでアクセス可能な任意の利用可能な媒体であってもよい。例えば、コンピュータで読み込み可能な媒体は、ＲＡＭ、ＲＯＭ、ＥＥＰＲＯＭ、ＣＤ−ＲＯＭまたは他の光ディスク格納装置、磁気ディスク格納装置または他の磁気格納デバイス、あるいは、命令またはデータ構造の形態で所望のプログラムコードを保持または格納するために使用可能、かつ、コンピュータによってアクセス可能な任意の他の媒体を、無制限に含んでもよい。本明細書で使用されるディスクとしては、コンパクトディスク（ＣＤ）、レーザディスク、光ディスク、デジタル多目的ディスク（ＤＶＤ）、フロッピーディスクおよびＢｌｕ−ｒａｙ（登録商標）ディスクが挙げられ、ここでは、ディスクは通常、データを磁気的に再生するが、ディスクがレーザによって光学的にデータを再生する。
【００４８】
ソフトウェアまたは命令は、さらに、伝送媒体上を伝送されてもよい。例えば、同軸ケーブル、光ファイバーケーブル、ツイストペアケーブル、デジタル加入者線（ＤＳＬ）、または赤外線、無線、およびマイクロ波等の無線技術を使用して、ウェブサイト、サーバ、または他のリモートソースからソフトウェアを伝送する場合、同軸ケーブル、光ファイバーケーブル、ツイストペアケーブル、ＤＳＬ、または赤外線、無線、およびマイクロ波等の無線技術が、伝送媒体の定義に含まれる。
【００４９】
第１節。ディスプレイを介して入力コマンドを受信するように構成されるコンピューティングデバイスであって、コンピューティングデバイスは、
プロセッサと、
プロセッサと電子的に通信するメモリと、
可撓性バックプレーンを含む、ディスプレイと、
可撓性バックプレーンの下に配置される、タッチセンサと、を含む。
【００５０】
第２節。タッチセンサは抵抗タッチ感知フィルムを含む、第１節に記載のコンピューティングデバイス。
【００５１】
第３節。可撓性バックプレーンはプラスチック材料から作製される、第１節に記載のコンピューティングデバイス。
【００５２】
第４節。ディスプレイは可撓性である、第１節に記載のコンピューティングデバイス。
【００５３】
第５節。コンピューティングデバイスは電子ブックリーダデバイスである、第１節に記載のコンピューティングデバイス。
【００５４】
第６節。ディスプレイは反射型ディスプレイを含む、第１節に記載のコンピューティングデバイス。
【００５５】
第７節。可撓性バックプレーンは能動的バックプレーンである、第１節に記載のコンピューティングデバイス。
【００５６】
第８節。さらなるディスプレイをさらに含む、第１節に記載のコンピューティングデバイス。
【００５７】
第９節。デバイス上のディスプレイを介して入力コマンドを受信するための方法であって、
可撓性バックプレーンを含む、ディスプレイへの電力の供給と、
ディスプレイを介した情報の表示と、
ディスプレイの下に配置される、タッチセンサを介した入力の受信と、
コマンドへの入力の変換と、を含む。
【００５８】
第１０節。抵抗タッチ感知フィルムを介した入力の受信をさらに含む、第９節の方法。
【００５９】
第１１節。可撓性バックプレーンはプラスチック材料からできている、第９節の方法。
【００６０】
第１２節。ディスプレイは可撓性ディスプレイを含む、第９節の方法。
【００６１】
第１３節。方法は電子ブックリーダによって実施される、第９節の方法。
【００６２】
第１４節。ディスプレイは反射型ディスプレイを含む、第９節の方法。
【００６３】
第１５節。可撓性バックプレーンは能動的バックプレーンである、第９節の方法。
【００６４】
第１６節。第９節の方法を実行するためのコンピュータプログラム。
【００６５】
第１７節。デバイス上のディスプレイを介して、入力コマンドを受信するように構成されるコンピューティングデバイスであって、コンピューティングデバイスは、
可撓性バックプレーンを含む、ディスプレイへ電力を供給する手段と、
ディスプレイを介して情報を表示する手段と、
ディスプレイの下に配置される、タッチセンサを介して入力を受信する手段と、
入力をコマンドに変換する手段と、を含む。
【００６６】
請求項は、上記の厳密な構成およびコンポーネントに制限されないことを理解されたい。請求項の範囲から逸脱しない限り、本明細書に記載のシステム、方法、および装置の構成、動作および詳細において、種々の修正、変更および変形が行われ得る。
【図１】
2011518385.tif 000003
【図２】
2011518385.tif 000004
【図３】
2011518385.tif 000005
【図４】
2011518385.tif 000006
【図５】
2011518385.tif 000007
【図６】
2011518385.tif 000008
【図７】
2011518385.tif 000009
【図８】
2011518385.tif 000010
【図９】
2011518385.tif 000011
【国際調査報告】
2011518385.tif 000012